(57)【要約】【課題】高機能の新たなベースバンドＩＣ（１Ａ）が得られたとき、ベースバンドＩＣ（１Ａ）を交換するだけで、無線端末機器の機能を向上できる無線端末機器を提供する。【解決手段】ベースバンド信号を処理し、制御用アドレスデータを発生するベースバンドＩＣ（１Ａ）と、無線信号の送受信を行い、ベースバンド信号と無線信号との相互周波数変換を行う高周波ＩＣ（１Ｂ）とを備え、高周波ＩＣ（１Ｂ）は、格納された制御用アドレスデータに対応して各種の動作状態の中の１つの動作状態を設定する複数のアドレス設定用レジスタ１５（１）、１５（２）と、アドレス設定用レジスタ１５（１）、１５（２）を選択するチップ選択ピン１７とを有し、チップ選択ピン１７で１つのアドレス設定用レジスタを選択したとき、そのアドレス設定用レジスタに格納された制御用アドレスデータに基づき１つの動作状態が設定される。【選択図】        図１
2005020497.tif 000002
【特許請求の範囲】
【請求項１】
ベースバンド信号を処理するとともに制御用アドレスデータを発生するベースバンドＩＣと、高周波信号を無線信号として送受信するとともにベースバンド信号と高周波信号との相互周波数変換を行う高周波ＩＣとを備え、前記高周波ＩＣは、前記ベースバンドＩＣから供給格納された制御用アドレスデータに対応して各種の動作状態の中の１つの動作状態を設定する複数のアドレス設定用レジスタと、前記複数のアドレス設定用レジスタの中の１つを選択するチップ選択ピンとを有し、前記チップ選択ピンにより１つのアドレス設定用レジスタを選択したとき、その１つのアドレス設定用レジスタに格納された制御用アドレスデータに基づいて１つの動作状態が設定されることを特徴とする無線端末機器。
【請求項２】
前記設定される各種の動作状態は、送受信される高周波信号の電力制御、送受信される高周波信号の周波数制御、局部発振信号の周波数安定化制御であることを特徴とする請求項１に記載の無線端末機器。
【発明の詳細な説明】
【０００１】
【発明の属する技術分野】
本発明は、無線端末機器に係り、特に、ベースバンドＩＣ（集積回路）及び高周波ＩＣ（集積回路）とを備え、高周波ＩＣの各部の動作状態をベースバンドＩＣから供給される制御用アドレスデータにより設定する無線端末機器に関する。
【０００２】
【従来の技術】
近年、情報伝送技術が進歩し、その利用範囲が大きく拡大したことにより、携帯用情報端末機器や携帯用電話機等の無線端末機器は、利用するユーザーの数が大幅に増加し、これら無線端末機器の機能も急速に高まってきている。
【０００３】
ここで、図２は、既知のこの種の無線端末機器の要部構成を示すブロック図である。
【０００４】
図２に示されるように、この無線端末機器は、大きく分けて、ベースバンド（ＢＢ）ＩＣ２１と高周波ＩＣ２２とからなっている。この場合、ベースバンドＩＣ２１は、送信するベースバンド信号及び受信したベースバンド信号を各種処理するベースバンド信号処理部２３と、無線端末機器の各部の動作を制御するとともに制御用アドレスデータを発生する制御部（ＣＰＵ）２４と、ベースバンド信号出力端子２５（Ｏ）と、ベースバンド信号入力端子２５（Ｉ）と、制御信号出力端子２６とを備えており、高周波ＩＣ２２は、送信ベースバンド信号を局部発振信号を用いて送信高周波信号に周波数変換する送信周波数変換部２７と、受信高周波信号を局部発振信号を用いて受信ベースバンド信号に周波数変換する受信周波数変換部２８と、送信高周波信号を送信レベルになるように増幅する送信信号増幅部２９と、受信高周波信号を所定レベルになるように増幅する受信信号増幅部３０と、局部発振信号の信号周波数を設定するＰＬＬ回路部（ＰＬＬ）３１と、送受信切替を行う送受信切替部（Ｔ／Ｒ  ＳＷ）３２と、内蔵アンテナ３３と、ベースバンド信号入力端子３４（Ｉ）と、ベースバンド信号出力端子３４（Ｏ）と、制御信号入力端子３５とを備えている。この他に、高周波ＩＣ２２は、制御用アドレスデータが格納されるアドレス設定用レジスタ３６と、アドレス設定用レジスタ３６に制御用アドレスデータを格納する際に用いられるシフトレジスタ３７とを備えている。
【０００５】
そして、ベースバンドＩＣ２１において、ベースバンド信号処理部２３は、ベースバンド信号出力端がベースバンド信号出力端子２５（Ｏ）に接続され、ベースバンド信号入力端がベースバンド信号入力端子２５（Ｉ）に接続される。制御部２４は、アドレスデータ出力端が制御信号出力端子２６に接続される。また、高周波ＩＣ２２において、送信周波数変換部２７は、第１入力端がベースバンド信号入力端子３４（Ｉ）に、第２入力端がＰＬＬ回路部３１の第１出力端に、出力端が送信信号増幅部２９の入力端にそれぞれ接続される。受信周波数変換部２８は、第１入力端が受信信号増幅部３０の出力端に、第２入力端がＰＬＬ回路部３１の第２出力端に、出力端がベースバンド信号出力端子３４（Ｏ）にそれぞれ接続される。送信信号増幅部２９は、出力端が送受信切替部３２の第１固定入力端子に接続され、受信信号増幅部３０は、入力端が送受信切替部３２の第２固定入力端子に接続される。送受信切替部３２は、切替端子が内蔵アンテナ３３に接続される。アドレス設定用レジスタ３６及びシフトレジスタ３７は、制御信号入力端子３５にそれぞれ接続される。
【０００６】
この他に、ベースバンドＩＣ２１のベースバンド信号出力端子２５（Ｏ）と高周波ＩＣ２２のベースバンド信号入力端子３４（Ｉ）との間、ベースバンドＩＣ２１のベースバンド信号入力端子２５（Ｉ）と高周波ＩＣ２２のベースバンド信号出力端子３４（Ｏ）との間、それに、ベースバンドＩＣ２１の制御信号出力端子２６と高周波ＩＣ２２の制御信号入力端子３５との間は、それぞれ信号線（図番なし）によって接続されている。
【０００７】
前記構成による無線端末機器は、次のように動作する。
【０００８】
この無線端末機器が無線信号を送信する場合は、ベースバンドＩＣ２１において、ベースバンド信号処理部２３は、送信すべきデータ信号が供給されると、そのデータ信号に対して所定の信号処理を行い、処理データ信号をベースバンド信号出力端子２５（Ｏ）に供給し、その後、信号線を通して高周波ＩＣ２２のベースバンド信号入力端子２５（Ｉ）に伝送する。
【０００９】
次に、高周波ＩＣ２２において、送信周波数変換部２７は、ベースバンド信号入力端子２５（Ｉ）に供給された処理データ信号とＰＬＬ回路部３１から供給された局部発振信号とを周波数混合して変調し、送信高周波信号を形成して次続の送信信号増幅部２９に供給する。送信信号増幅部２９は、この送信高周波信号を送信電力レベルになるように増幅し、送受信切替部３２に供給する。送受信切替部３２は、信号送信時に送信高周波信号を伝送するように切替られており、それにより送信高周波信号が送受信切替部３２を通って内蔵アンテナ３３に供給され、そこから無線信号として送信される。
【００１０】
また、この無線端末機器が無線信号を受信する場合は、高周波ＩＣ２２において、内蔵アンテナ３３が無線信号を受信すると、その信号が受信高周波信号として送受信切替部３２に供給される。送受信切替部３２は、信号受信時に受信高周波信号を伝送するように切替られており、それにより受信高周波信号が送受信切替部３２を通して受信信号増幅部３０に供給される。受信信号増幅部３０は、受信高周波信号が所定の信号レベルになるように増幅し、増幅した受信高周波信号を受信周波数変換部２８に供給する。受信周波数変換部２８は、供給された受信高周波信号とＰＬＬ回路部３１から供給された局部発振信号とを周波数混合して復調し、処理データ信号を形成してベースバンド信号出力端子３４（Ｏ）に供給する。この後、処理データ信号は、信号線を通してベースバンドＩＣ２１のベースバンド信号入力端子２５（Ｉ）に伝送される。
【００１１】
次いで、ベースバンドＩＣ２１において、ベースバンド信号処理部２３は、ベースバンド信号入力端子２５（Ｉ）から供給された処理データ信号に対して所定の信号処理を行い、データ信号を再生する。
【００１２】
ここで、高周波ＩＣ２２に配置しているアドレス設定用レジスタ３６は、ベースバンドＩＣ２１の制御部２４から供給される制御用アドレスデータをシフトレジスタ３７を介在させて格納するもので、格納された制御用アドレスデータの種別に対応してその制御機能が決められている。例えば、制御用アドレスデータが第１の種別であるとき、そのデータ内容に対応して高周波ＩＣ２２の送信信号増幅部２９の信号出力電力が設定され、第２の種別であるとき、そのデータ内容に対応して受信信号増幅部３０の信号利得が設定され、第３の種別であるとき、そのデータ内容に対応してＰＬＬ回路部３１から送信周波数変換部２７に供給する局部発振信号周波数が設定され、第４の種別であるとき、そのデータ内容に対応してＰＬＬ回路部３１から受信周波数変換部２８に供給する局部発振信号周波数が設定される。
【００１３】
なお、制御用アドレスデータをアドレス設定用レジスタ３６に格納するには、クロック信号（ＣＬＫ）の供給タイミングに合わせて、制御部２４から供給される１ビットづつ制御用アドレスデータを順次シフトレジスタ３７に仮格納し、その後、制御部２４から供給されるエンコーダ信号（ＥＮ）により、シフトレジスタ３７に仮格納した制御用アドレスデータをアドレス設定用レジスタ３６に転送格納する。
【００１４】
【発明が解決しようとする課題】
前記既知の無線端末機器においては、使用されるベースバンドＩＣ２１と高周波ＩＣ２２との組み合わせが決められ、その後に、ベースバンドＩＣ２１の制御部２４から高周波ＩＣ２２に供給される制御用アドレスデータの種別に対応した制御機能が一義的に決められ、それにより供給される制御用アドレスデータの種別により、その種別が意味する制御機能が達成される。
【００１５】
ところで、この種の無線端末機器においては、使用されるベースバンドＩＣと高周波ＩＣとの組み合わせが決められた後に、そのベースバンドＩＣよりも優れた機能を有する新たなベースバンドＩＣが開発されたり、ベースバンドＩＣを動作させるプログラムを改良した新たなベースバンドＩＣが開発されたりすることがあり、その他にも、他のメーカーによって製造された新たな機能を備えたベースバンドＩＣが開発されたりすることがある。そして、このような新たなベースバンドＩＣが開発された場合、ユーザーは、無線端末機器の機能向上を図るために、新たなベースバンドＩＣを組み込んだ無線端末機器への機種交換を要求するようになる。
【００１６】
一般に、既知の無線端末機器は、以前のベースバンドＩＣと新たに開発されたベースバンドＩＣとを比べたとき、高周波ＩＣ２２に対する制御機能が同じであっても、必ずしも同じ種別コードになっているとは限らず、ましてや、以前のベースバンドＩＣとメーカーを異にするベースバンドＩＣであれば、高周波ＩＣ２２に対する制御機能が同じであっても、必ずしも同じ種別コードであるとは限らない。このため、既知の無線端末機器においては、ベースバンドＩＣを新たなものに交換する場合、その新たなベースバンドＩＣに適合した新たな高周波ＩＣを使用したものに変更する、すなわち、無線端末機器全体を変更する必要があり、それにより１つの無線端末機器が使用される期間が非常に短くなって、結果的に無線端末機器のコストが上昇してしまう。
【００１７】
本発明は、このような技術的背景に鑑みてなされたもので、その目的は、機能が向上した新たなベースバンドＩＣが得られたとき、ベースバンドＩＣを新たなものに交換するだけで、無線端末機器の機能を向上させることを可能にした無線端末機器を提供することにある。
【００１８】
【課題を解決するための手段】
前記目的を達成するために、本発明による無線端末機器は、ベースバンド信号を処理するとともに制御用アドレスデータを発生するベースバンドＩＣと、高周波信号を無線信号として送受信するとともにベースバンド信号と高周波信号との相互周波数変換を行う高周波ＩＣとを備え、高周波ＩＣは、ベースバンドＩＣから供給入力された制御用アドレスデータに対応して各種の動作状態の中の１つの動作状態を設定する複数のアドレス設定用レジスタと、複数のアドレス設定用レジスタの中の１つを選択するチップ選択ピンとを有し、チップ選択ピンにより１つのアドレス設定用レジスタを選択したとき、その１つのアドレス設定用レジスタに入力された制御用アドレスデータに基づいて１つの動作状態が設定される手段を備える。
【００１９】
かかる手段によれば、高周波ＩＣに予め複数のアドレス設定用レジスタと複数のアドレス設定用レジスタの中の１つを選択するチップ選択ピンとを配置し、使用するベースバンドＩＣを新たなベースバンドＩＣに変更する場合、チップ選択ピンを選択することによって、新たなベースバンドＩＣが供給する制御用アドレスデータに適合したアドレス設定用レジスタを選択使用するようにしたので、ベースバンドＩＣを新たなものに交換したにも係わらず、交換前のベースバンドＩＣと同様の各種の動作状態に設定することができ、無線端末機器の機能の向上を低コストで達成することができる。
【００２０】
【発明の実施の形態】
以下、本発明の実施の形態を図面を参照して説明する。
【００２１】
図１は、本発明による無線端末機器の実施の形態を示すもので、その要部構成を示すブロック図である。
【００２２】
図１に示されるように、この実施の形態による無線端末機器は、ベースバンド（ＢＢ）ＩＣ（１Ａ）と高周波ＩＣ（１Ｂ）とからなっている。
【００２３】
この場合、ベースバンドＩＣ（１Ａ）は、送信するベースバンド信号及び受信したベースバンド信号を各種処理するベースバンド信号処理部２と、無線端末機器の各部の動作を制御するとともに制御用アドレスデータを発生する制御部（ＣＰＵ）３と、ベースバンド信号出力端子４（Ｏ）と、ベースバンド信号入力端子４（Ｉ）と、制御信号出力端子５とを備えている。
【００２４】
また、高周波ＩＣ（１Ｂ）は、送信ベースバンド信号を局部発振信号を用いて送信高周波信号に周波数変換する送信周波数変換部６と、受信高周波信号を局部発振信号を用いて受信ベースバンド信号に周波数変換する受信周波数変換部７と、送信高周波信号を送信レベルになるように増幅する送信信号増幅部８と、受信高周波信号を所定レベルになるように増幅する受信信号増幅部９と、局部発振信号の信号周波数を設定するＰＬＬ回路部（ＰＬＬ）１０と、送受信切替を行う送受信切替部（Ｔ／Ｒ  ＳＷ）１１と、内蔵アンテナ１２と、ベースバンド信号入力端子１３（Ｉ）と、ベースバンド信号出力端子１３（Ｏ）と、制御信号入力端子１４とを備えている。さらに、高周波ＩＣ（１Ｂ）は、制御用アドレスデータが選択的に格納される２つのアドレス設定用レジスタ１５（１）、１５（２）と、アドレス設定用レジスタ１５（１）、１５（２）のいずれかに制御用アドレスデータを格納する際に用いられるシフトレジスタ１６と、物理的にピン１７（１）、１７（２）を挿脱することによって使用するアドレス設定用レジスタ１５（１）、１５（２）を選択するチップ選択ピン１７とを備えている。
【００２５】
そして、ベースバンドＩＣ（１Ａ）において、ベースバンド信号処理部２は、ベースバンド信号出力端がベースバンド信号出力端子４（Ｏ）に接続され、ベースバンド信号入力端がベースバンド信号入力端子４（Ｉ）に接続される。制御部３は、アドレスデータ出力端が制御信号出力端子５に接続される。
【００２６】
また、高周波ＩＣ（１Ｂ）において、送信周波数変換部６は、第１入力端がベースバンド信号入力端子１３（Ｉ）に、第２入力端がＰＬＬ回路部１０の第１出力端に、出力端が送信信号増幅部８の入力端にそれぞれ接続される。受信周波数変換部７は、第１入力端が受信信号増幅部９の出力端に、第２入力端がＰＬＬ回路部１０の第２出力端に、出力端がベースバンド信号出力端子１３（Ｏ）にそれぞれ接続される。送信信号増幅部８は、出力端が送受信切替部１１の第１固定入力端子に接続され、受信信号増幅部９は、入力端が送受信切替部１１の第２固定入力端子に接続される。送受信切替部１１は、切替端子が内蔵アンテナ１２に接続される。アドレス設定用レジスタ１５（１）、１５（２）は挿入されたピン１７（１）、１７（２）を通して制御信号入力端子１４に接続され、シフトレジスタ１６は、直接制御信号入力端子１４に接続される。
【００２７】
この他に、ベースバンドＩＣ（１Ａ）のベースバンド信号出力端子４（Ｏ）と高周波ＩＣ（１Ｂ）のベースバンド信号入力端子１３（Ｉ）との間、ベースバンドＩＣ（１Ａ）のベースバンド信号入力端子４（Ｉ）と高周波ＩＣ（１Ｂ）のベースバンド信号出力端子１３（Ｏ）との間、それに、ベースバンドＩＣ（１Ａ）の制御信号出力端子５と高周波ＩＣ（１Ｂ）の制御信号入力端子１４との間は、それぞれ信号線（図番なし）によって接続されている。
【００２８】
前記構成による無線端末機器は、次のように動作する。
【００２９】
この無線端末機器における無線信号の送受信処理動作は、既に述べた既知の無線端末機器の当該動作と同じであって、始めに、この無線端末機器が無線信号を送信する場合は、ベースバンドＩＣ（１Ａ）において、ベースバンド信号処理部２は、送信すべきデータ信号が供給されると、そのデータ信号に対して所定の信号処理を行い、処理データ信号をベースバンド信号出力端子４（Ｏ）に供給し、その後、信号線を通して高周波ＩＣ（１Ｂ）のベースバンド信号入力端子１３（Ｉ）に伝送する。
【００３０】
次に、高周波ＩＣ（１Ｂ）において、送信周波数変換部６は、ベースバンド信号入力端子１３（Ｉ）に供給された処理データ信号とＰＬＬ回路部１０から供給された局部発振信号とを周波数混合して変調し、送信高周波信号を形成して次続の送信信号増幅部８に供給する。送信信号増幅部８は、この送信高周波信号を送信電力レベルになるように増幅し、送受信切替部１１に供給する。送受信切替部１１は、信号送信時に送信高周波信号を伝送するように切替られ、それにより送信高周波信号が送受信切替部１１を通って内蔵アンテナ１２に供給され、そこから無線信号として送信される。
【００３１】
また、この無線端末機器が無線信号を受信する場合は、高周波ＩＣ（１Ｂ）において、内蔵アンテナ１２が無線信号を受信すると、その信号が受信高周波信号として送受信切替部１１に供給される。送受信切替部１１は、信号受信時に受信高周波信号を伝送するように切替られ、それにより受信高周波信号が送受信切替部１１を通して受信信号増幅部９に供給される。受信信号増幅部９は、受信高周波信号が所定の信号レベルになるように増幅し、増幅した受信高周波信号を受信周波数変換部７に供給する。受信周波数変換部７は、供給された受信高周波信号とＰＬＬ回路部１０から供給された局部発振信号とを周波数混合して復調し、処理データ信号を形成してベースバンド信号出力端子１３（Ｏ）に供給する。この後、処理データ信号は、信号線を通してベースバンドＩＣ（１Ａ）のベースバンド信号入力端子４（Ｉ）に伝送される。
【００３２】
次いで、ベースバンドＩＣ（１Ａ）において、ベースバンド信号処理部２は、ベースバンド信号入力端子４（Ｉ）から供給された処理データ信号に対して所定の信号処理を行い、データ信号を再生する。
【００３３】
ところで、高周波ＩＣ（１Ｂ）に配置している２つのアドレス設定用レジスタ１５（１）、１５（２）については、当初、チップ選択ピン１７のピン１７（１）だけが挿入され、それによりピン１７（１）を通してアドレス設定用レジスタ１５（１）が制御信号入力端子１４に接続された状態になっている。この状態のとき、ベースバンドＩＣ（１Ａ）の制御部３から供給される制御用アドレスデータは、クロック信号の供給タイミングによって１ビットづつシフトレジスタ１６に順次格納され、シフトレジスタ１６の各段にデータビットが格納されると、制御部３から供給されるエンコード信号によりシフトレジスタ１６の各段に格納されたデータビットがアドレス設定用レジスタ１５（１）に転送され、アドレス設定用レジスタ１５（１）に制御用アドレスデータが格納される。この場合も、格納された制御用アドレスデータの種別に対応してその制御機能が決められるもので、例えば、制御用アドレスデータが第１の種別であるとき、そのデータ内容に対応して高周波ＩＣ（１Ｂ）の送信信号増幅部８の信号出力電力が設定され、第２の種別であるとき、そのデータ内容に対応して受信信号増幅部９の信号利得が設定され、第３の種別であるとき、そのデータ内容に対応してＰＬＬ回路部１０から送信周波数変換部６に供給する局部発振信号周波数が設定され、第４の種別であるとき、そのデータ内容に対応してＰＬＬ回路部１０から受信周波数変換部７に供給する局部発振信号周波数が設定される。
【００３４】
次に、無線端末機器に使用しているベースバンドＩＣ（１Ａ）を交換する必要が生じたとき、そのベースバンドＩＣ（１Ａ）を交換した際に選択ピン１７のピン１７（１）の挿入を外し、その代わりにピン１７（２）を挿入して、ピン１７（２）を通してアドレス設定用レジスタ１５（２）が制御信号入力端子１４に接続された状態にする。このような状態になると、ベースバンドＩＣ（１Ａ）の制御部３から供給される制御用アドレスデータは、クロック信号の供給タイミングによって１ビットづつシフトレジスタ１６に順次格納され、シフトレジスタ１６の各段にデータビットが格納されると、制御部３から供給されるエンコード信号によりシフトレジスタ１６の各段に格納されたデータビットが今回アドレス設定用レジスタ１５（２）に転送され、アドレス設定用レジスタ１５（２）に制御用アドレスデータが格納される。そして、アドレス設定用レジスタ１５（２）に制御用アドレスデータが格納された後、その制御用アドレスデータによる制御機能は、前述の場合と全く同じである。
【００３５】
このような構成にした場合、ベースバンドＩＣ（１Ａ）を交換し、新たなベースバンドＩＣ（１Ａ）を使用したとき、新たなベースバンドＩＣ（１Ａ）の制御部３が出力する制御用アドレスデータが、以前のベースバンドＩＣ（１Ａ）の制御部３が出力する制御用アドレスデータと異なっていても、本来の制御機能を達成することができる方のアドレス設定用レジスタ、例えばアドレス設定用レジスタ１５（２）に制御用アドレスデータを格納することによって以前の制御機能と変わらない制御機能を達成することが可能になる。この点を具体的に述べると、例えば、アドレス設定用レジスタ１５（２）における５番目の段Ｄ３に格納されるデータビットの機能が送信信号増幅部８をオンに設定するものであるとき、以前のベースバンドＩＣ（１Ａ）の制御部３から供給された制御用アドレスデータの当該データビットが０である場合はアドレス設定用レジスタ１５（１）に格納され、一方、新たなベースバンドＩＣ（１Ａ）の制御部３から供給された制御用アドレスデータの当該データビットが１である場合はアドレス設定用レジスタ１５（２）に格納されるようにチップ選択ピン１７のピン１７（１）、１７（２）の挿脱を切替えるようにすれば、ベースバンドＩＣ（１Ａ）が以前のものであってもまたは新たなものであっても選択することが可能になる。
【００３６】
これにより、既に使用しているベースバンドＩＣ（１Ａ）に比べて安価で高性能のベースバンドＩＣ（１Ａ）が新たに開発されたような場合、当該ベースバンドＩＣ（１Ａ）の制御用アドレスデータの一部のデータビットが以前のベースバンドＩＣ（１Ａ）の制御用アドレスデータのものと異なるために、新たなベースバンドＩＣ（１Ａ）を単独で使用することができないという事態を回避することが可能になり、ベースバンドＩＣ（１Ａ）の選択が増すだけでなく、コストが低く、機能が向上したベースバンドＩＣ（１Ａ）を適宜選択使用することにより、高性能の無線端末機器を実現することが可能になる。
【００３７】
なお、前記実施の形態においては、高周波ＩＣ（１Ｂ）に２つのアドレス設定用レジスタ１５（１）、１５（２）を使用している例を挙げて説明したが、本発明により使用可能なアドレス設定用レジスタは２つである場合に限られるものでなく、３つのアドレス設定用レジスタを使用するようにしてもよい。
【００３８】
【発明の効果】
以上のように、本発明によれば、高周波ＩＣに予め複数のアドレス設定用レジスタと複数のアドレス設定用レジスタの中の１つを選択するチップ選択ピンとを配置し、使用するベースバンドＩＣを新たなベースバンドＩＣに変更する場合、チップ選択ピンを選択することによって、新たなベースバンドＩＣが供給する制御用アドレスデータに適合したアドレス設定用レジスタを選択使用するようにしたので、ベースバンドＩＣを新たなものに交換したにも係わらず、交換前のベースバンドＩＣと同様の各種の動作状態に設定することができ、無線端末機器の機能の向上を低コストで達成することができるという効果がある。
【図面の簡単な説明】
【図１】本発明による無線端末機器の実施の形態を示すもので、その要部構成を示すブロック図である。
【図２】既知の無線端末機器の要部構成を示すブロック図である。
【符号の説明】
１Ａ  ベースバンドＩＣ（ＢＢ  ＩＣ）
１Ｂ  高周波ＩＣ（ＲＦ  ＩＣ）
２  ベースバンド信号処理部
３  制御部（ＣＰＵ）
４（Ｏ）  ベースバンド信号出力端子
４（Ｉ）  ベースバンド信号入力端子
５  制御信号出力端子
６  送信周波数変換部
７  受信周波数変換部
８  送信信号増幅部
９  受信信号増幅部
１０  ＰＬＬ回路部（ＰＬＬ）
１１  送受信切替部（Ｔ／Ｒ  ＳＷ）
１２  内蔵アンテナ
１３（Ｉ）  ベースバンド信号入力端子
１３（Ｏ）  ベースバンド信号出力端子
１４  制御信号入力端子
１５（１）、１５（２）  アドレス設定用レジスタ
１６  シフトレジスタ
１７  チップ選択ピン
１７（１）、１７（２）  ピン
【図１】
2005020497.tif 000003
【図２】
2005020497.tif 000004